(57)【要約】【課題】乳癌の検診を受けるときの受診者の羞恥心や不安感を和らげることができ、しかも、構造を簡単にして低コスト化しながら隠蔽機能を強化して、使い捨て使用に好適な検診用被服を提供する。【解決手段】素材シートに頭を通すための装着穴１を形成し、装着穴１の前後に胸部を覆う前面部２と、少なくとも肩山を覆う肩部３とを形成する。前面部２の下端から装着穴１の近傍にわたって切断線４を形成して、前面部２を左右の身頃２Ｒ・２Ｌに分割する。以て、左右の身頃２Ｒ・２Ｌを独立して肩部３の外面側へ反転状に折り返すことができるようにする。シート面には、隠蔽性を向上するためのエンボス突起１３・１４を形成する。【選択図】図１
2010031429.tif 000002
【特許請求の範囲】
【請求項１】
素材シートに頭を通すための装着穴（１）が形成され、装着穴（１）の前後に胸部を覆う前面部（２）と、少なくとも肩を覆う肩部（３）とが形成されており、
前面部（２）の下端から装着穴（１）の近傍にわたって、前面部（２）を左右の身頃（２Ｒ・２Ｌ）に分割する切断線（４）が形成されており、
左右の身頃（２Ｒ・２Ｌ）を独立して肩部（３）の外面側へ反転状に折り返すことができることを特徴とする検診用被服。
【請求項２】
切断線（４）の装着穴（１）側の端部に、切断線（４）から遠ざかる左右一対の第１切込み（５・５）が形成してある請求項１に記載の検診用被服。
【請求項３】
装着穴（１）の周縁の複数個所に頭の通過を容易化する第２切込み（６・６・７）が形成してある請求項１または２に記載の検診用被服。
【請求項４】
素材シートが不織布（１１）と、不織布（１１）の片面にラミネートされる樹脂フィルム（１２）とで形成されて、シート面にエンボス加工が施してある請求項１、２または３に記載の検診用被服。
【請求項５】
不織布（１１）が着色されており、
樹脂フィルム（１２）が透明フィルムで形成してある請求項４に記載の検診用被服。
【請求項６】
装着穴（１）および切断線（４）などの切断加工が施された複数枚の被服ブランク（２０）を積層して、ブランク積層体（２１）が形成されており、
前記ブランク積層体（２１）にエンボス加工が施してある請求項４または５に記載の検診用被服。
【発明の詳細な説明】
【技術分野】
【０００１】
本発明は、乳房の触診やマンモグラフィーによる検診などを行なう際に着用するための検診用被服に関する。
【背景技術】
【０００２】
本発明の検診用被服に関して、特許文献１の手術用ガウンが公知である。そこでは、撥水性を備えた不織布で手術用ガウンを構成している。手術用ガウンは、主に手術の執刀者や介助者が着用するために滅菌包装されており、手術が終わるごとに廃棄される。特許文献２には、受診者が使用するための介護用衣服が開示されている。そこでは、吸湿性があって肌触りのよい生地で介護用衣服を構成している。
【０００３】
【特許文献１】特許第２９９９９８３号公報（段落番号００１５、図１）
【特許文献２】特開平９−１１９００６号公報（段落番号００７、図４）
【発明の開示】
【発明が解決しようとする課題】
【０００４】
現在の乳癌検診の手法として、医師による触診、あるいはマンモグラフィーによるＸ線撮影が広く行なわれている。いずれの場合にも、受診者は上半身の着衣を脱いで触診を受け、あるいは専用のＸ線撮影装置によって乳房内部の状態を撮影する。しかし、たとえ医療行為であるとしても、検診が終了するまでの間、上半身を裸にしておくことが求められることから、受診者に羞恥心や不安感を与えやすく、受診者にとって心理的に大きな負担となっていた。先のような、いわゆる使い捨てできるガウンや被服を着用することで、受診者の羞恥心や不安感を取り除くことはできる。しかし、従来のこの種の被服は、下半身まで覆う被服本体や袖など、不必要な被服パーツを多く含んでいて全体構造が複雑であり、さらに、縫製あるいはそれに類する生地連結が不可欠であるため全体としてコストが嵩み、乳癌検診のための使い捨て被服とするにはコストが高すぎる。さらに、乳房の触診あるいは、Ｘ線撮影を行ううえで被服が邪魔になるのを避けられない。
【０００５】
本発明の目的は、検診を受ける受診者の心理的な負担を著しく軽減でき、しかも、構造が簡単で低コスト化でき、乳癌検診用の被服として使い捨て使用を行なうのに好適な検診用被服を提供することにある。この発明の目的は、材料コストが少なくて済むより薄い不織布を素材にして構成してあるにもかかわらず、肌が被服を介して透けて見えるのを確実に防止でき、したがって検診用被服の低コスト化と被服の隠蔽機能の強化とを両立できる検診用被服を提供することにある。
【課題を解決するための手段】
【０００６】
本発明の検診用被服は、素材シートに頭を通すための装着穴１が形成され、装着穴１の前後に胸部を覆う前面部２と、少なくとも肩を覆う肩部３とが形成してある。前面部２の下端から装着穴１の近傍にわたって、前面部２を左右の身頃２Ｒ・２Ｌに分割する切断線４を形成する。以て、左右の身頃２Ｒ・２Ｌを独立して肩部３の外面側へ反転状に折り返すことができることを特徴とする。
【０００７】
切断線４の装着穴１側の端部に、切断線４から遠ざかる左右一対の第１切込み５・５を形成する。
【０００８】
装着穴１の複数個所に頭の通過を容易化する第２切込み６・６・７を形成する。
【０００９】
素材シートは不織布１１と、不織布１１の片面にラミネートされる樹脂フィルム１２とで形成する。素材シートのシート面にはエンボス加工が施してある。
【００１０】
不織布１１は着色する。樹脂フィルム１２は透明フィルムで形成する。
【００１１】
装着穴１および切断線４などの切断加工が施された複数枚の被服ブランク２０を積層して、ブランク積層体２１を形成する。前記ブランク積層体２１にエンボス加工を施す。
【発明の効果】
【００１２】
本発明では、素材シートに頭を通すための装着穴１を形成し、装着穴１の前後に胸部を覆う前面部２と、少なくとも肩を覆う肩部３とを形成して検診用被服を貫頭衣状に形成した。また、前面部２の下端から装着穴１の近傍にわたって切断線４を形成して、前面部２を左右の身頃２Ｒ・２Ｌに分割することにより、左右の身頃２Ｒ・２Ｌを独立して肩部３の外面側へ反転状に折り返せるようにした。上記のように構成した検診用被服によれば、受診者の胸部を前面部２で覆うことにより、乳房が不必要に露出するのを防止して、受診者の羞恥心や不安感を和らげることができる。また、触診を行ない、あるいは乳房をＸ線撮影装置で撮影する場合には、図１に想像線で示すように、左右いずれか一方の身頃２Ｒのみを肩部３の外面側へ反転状に折り返して、検診を受ける側の乳房のみを露出させ、他方の乳房は残る身頃２Ｌで覆い隠すことにより、検診を受ける受診者の心理的な負担を著しく軽減できる。
【００１３】
また、検診を受ける側の乳房を露出させた状態では、それまで乳房を覆っていた身頃２Ｒを背中の側へ反転状に折り返して胸部を開放できるので、乳房の触診あるいは、Ｘ線撮影を行ううえで検診用被服が邪魔になるのを一掃できる。さらに、検診用被服を１枚の素材シートで貫頭衣状に形成するので、従来の検診用被服に比べて全体構造を簡素化して、その製造に要するコストを大幅に削減でき、乳癌検診用の被服として使い捨て使用を行なうのに好適な検診用被服とすることができる。
【００１４】
切断線４の装着穴１側の端部に左右一対の第１切込み５・５が形成してある検診用被服によれば、左右いずれかの身頃２Ｒ（または２Ｌ）を背中の側へ折り返す際の折り返し基端を、切断線４から遠ざけることができる。これにより、折り返した身頃部分が受診者の首と緩衝するのを避けながら、身頃部分を肩を介して背中の側へ斜めに折り返すことができる。したがって、左右の身頃２Ｒ・２Ｌをそれぞれ背中の側へ簡便に折り返すことができるうえ、折り返された身頃２Ｒが胸部側へ滑り落ちるのを防止できる。
【００１５】
装着穴１の複数個所に第２切込み６・６・７を形成する検診用被服によれば、受診者が検診用被服を着用する際に、第２切込み６・６・７が拡がることで装着穴１の開口量を拡大して頭の通過を容易化できるので、検診用被服をフリーサイズ化することができ、たとえ髪の量が多い受診者であっても検診用被服の着脱をより簡便に行える。また、第２切込み６・６・７が拡がることで頭の通過を容易化するので、装着穴１の開口面積を大きくして頭の通過を容易化する場合に比べて、着用状態において検診用被服がずれ動くのをよく防止して、身体にフィットさせやすい。
【００１６】
不織布１１と、不織布１１の片面にラミネートされる樹脂フィルム１２とで素材シートを形成し、素材シートのシート面にエンボス加工を施すと、エンボス突起１３・１４の凸面および凹面で光を乱反射させて、検診用被服が透けて見えるのを阻止できる。したがって、材料コストが少なくて済むより薄い不織布１１を基布にして素材シートを形成した場合でも、肌が被服を介して透けて見えるのを確実に防止でき、したがって使い捨て使用される検診用被服の低コスト化を実現しながら、被服の隠蔽機能を強化できる。
【００１７】
着色された不織布１１に透明な樹脂フィルム１２をラミネートした素材シートで検診用被服を構成すると、不織布１１が無着色（白色）である場合に比べて、被服の外観上の印象を和らげながら清潔感や美観を向上できる。加えて、肌が被服を介して透けて見えるのを不織布１１で抑止できる利点もある。
【００１８】
切断加工が施された複数枚の被服ブランク２０を積層して得られるブランク積層体２１にエンボス加工を施すと、個々の被服ブランク２０に対してエンボス加工を行なう場合に比べて、エンボス加工に要する手間を著しく削減できる。また、エンボス加工を行なうことによって、隣接する被服ブランク２０どうしを塑性変形されたエンボス突起１３・１４で一体化して、被服積層体２３とすることができるので、流通過程や検診現場において検診用被服がばらばらになるのを防いで、被服積層体２３の取り扱いを簡便化できる。被服積層体２３が占める体積を小さくして、輸送や保管に要するスペースを小さくできる利点もある。
【発明を実施するための最良の形態】
【００１９】
（実施例）  図１ないし図７は本発明に係る検診用被服の実施例を示す。図２において検診用被服は、縦長四角形状の素材シートの上辺近傍に頭を通すための装着穴１を開口して、貫頭衣状に形成してある。図２に向かって装着穴１より下側の部分は、胸部を覆う前面部２となり、装着穴１より上側の部分は、肩山および背中上部を覆う肩部３となる。
【００２０】
前面部２の下端から装着穴１の近傍にわたって切断線４を形成して、前面部２が左右の身頃２Ｒ・２Ｌに分割してある。さらに、切断線４の装着穴１側の端部に、切断線４から肩部３へ向かって斜めに上り傾斜する左右一対の第１切込み５・５が形成してある。装着穴１は、左右方向に沿う長軸を備えた楕円穴で形成されており、その左右および背面側中央のそれぞれに、頭の通過を容易化する３個の第２切込６・７が形成してある。
【００２１】
図３に示すように素材シートは、着色された不織布１１と、不織布１１の外面（片面）にラミネートされる樹脂フィルム１２とで形成してあり、肌と接触する側に不織布１１が配置してある。不織布１１はパルプなどの植物繊維を素材にしてティッシュペーパー状に形成してあり、その平均的な厚み寸法は０．１から０．２ｍｍである。また、樹脂フィルム１２は厚みが７μｍの透明なポリエチレンフィルムで形成してあり、着色された不織布１１の色を視認することができる。着色された不織布１１の色は、美観と清潔感を発揮するために淡い色で着色されており、例えば彩度を落とした青、ピンク、クリーム色などに着色してある。
【００２２】
上記のように、不織布１１の外面に透明の樹脂フィルム１２をラミネートした素材シートは、不織布１１が薄いこともあって使用状態において肌が透けて見え、検診用被服を着用する意義が薄れる。このような半透明状の検診用被服の隠蔽性を向上するために、検診用被服のシート面には、全面にわたってエンボス加工が施される。
【００２３】
詳しくは、図３および図４に示すように、シート面の表裏のそれぞれに、直径寸法が２ないし３ｍｍの半球殻状のエンボス突起１３・１４を形成している。このように、エンボス突起１３・１４を形成すると、検診用被服を外面から見るとき、エンボス突起１３・１４の凸面および凹面において樹脂フィルム１２が乱反射し、磨りガラスを介して見る時のように輪郭を大きくぼかすことができ、したがって、検診用被服の隠蔽性を大幅に向上できる。因みに、不織布１１の厚みを大きくすることによっても、肌が透けて見えるのを防止できるが、その場合には検診用被服のコストが嵩むことになる。
【００２４】
検診用被服を使用する場合には、図１に示すように、装着穴１に頭を通して、前面部２で受診者の胸部を覆う。このように、受診者の胸部を前面部２で覆うことにより、乳房が不必要に露出するのを防止して、受診者の羞恥心や不安感を和らげることができる。さらに触診を行ない、あるいは乳房をＸ線撮影装置で撮影する場合には、図１に想像線で示すように、左右いずれかの身頃２Ｒ（または２Ｌ）のみを肩部３の外面側へ反転状に折り返すことで、露出する乳房を片側のみに限ることができる。
【００２５】
片方の身頃２Ｒを肩部３の外面側へ折り返す場合には、第１切込み５の上端と身頃２Ｒの肩山寄りの側縁を結ぶ折返し線８に沿って、身頃２Ｒを首部を避けながら谷折り状に斜めに折り返し、折り返された身頃部分を背中側へ垂れ下がらせることができる。したがって、身頃２Ｒを背中側へ簡便に折り返すことができるうえ、折り返された身頃２Ｒが胸部側へ滑り落ちてくるのを防止できる。因みに、第１切込み５がない場合には、身頃２Ｒ（または２Ｌ）の折り返し基端が切断線４の上端となるため、折り返した身頃２Ｒの切断線４が首部に当たるのを避ける必要上、切断線４側の折り返し部分の湾曲半径を大きくする必要があり、折り返した身頃２Ｒが上腕側へ滑り落ちやすい。片側の乳房の触診やＸ線撮影装置による撮影が終了したら、折り返した身頃２Ｒを元に戻し、他方の身頃２Ｌを同様にして折り返す。
【００２６】
以上に様に構成した検診用被服は、図５に示す過程を経て製造することができる。不織布１１を連続して繰り出しながら、その表面に連続して繰り出される樹脂フィルム１２を積層し、上下一対のラミネートローラー１８で樹脂フィルム１２を不織布１１に固定する。次に、上下一対のロータリーカッター１９で切断加工を施して、装着穴１、切断線４、および第１・第２の切込み５・６・７を形成する。同時に、被服ブランク２０の外形も長方形状に成形する。得られた複数枚（５枚前後）の被服ブランク２０を積層して、ブランク積層体２１を形成する。さらにブランク積層体２１を上下一対のエンボスローラー２２の間に通してエンボス加工を施し、図６に示すように複数枚の検診用被服が積層された被服積層体２３を完成する。
【００２７】
上記のように、ブランク積層体２１に対してエンボス加工を施すと、個々の被服ブランク２０に対してエンボス加工を行なう場合に比べて、エンボス加工に要する手間を著しく削減できる。さらに、エンボス加工を行なうことによって、図７に示すように隣接する被服ブランク２０どうしを塑性変形されたエンボス突起１３・１４で一体化して、流通時あるいは検診現場での被服積層体２３の取り扱いを簡便化できる。検診現場では、検診用被服を被服積層体２３から１枚ずつ剥離して受診者に渡す。
【００２８】
図８は検診用被服の別の実施例を示す。そこでは、素材シートの中央部に頭を通すための装着穴１を開口し、装着穴１より下側の部分を胸部を覆う前面部２とし、装着穴１より上側の部分を肩および背中を覆う背面部２６とした。前面部２は等脚台形状に形成してあり、背面部２６は肩部３を含んで逆等脚台形状に形成してある。検診用被服を左右の第２切込み６・６に沿って折り畳んだ状態における前面部２と背面部２６の外形形状は一致している。このように背面部２６を備えた検診用被服によれば、肩部および背中を背面部２６で覆い隠して、受診者の羞恥心を和らげることができる。他は、先の実施例と同じであるので、同じ部材に同じ符号を付してその説明を省略する。以下の実施例においても同じとする。
【００２９】
図９および図１０は検診用被服のさらに別の実施例を示す。そこでは、図２で説明した検診用被服と同様に、素材シートを縦長四角形状に形成して、装着穴１の下部および上部に前面部２と背面部２６を設けた。さらに、前面部２と背面部２６の左右両側のそれぞれに切断線を入れて紐部２７を形成した。使用時には、図１０に示すように、前面部２と背面部２６の紐部２７を受診者の腋の下で結んで、検診用被服のずれ動きを規制できる。また、身頃２Ｒを背中側へ折り返した状態において、折り返された身頃部分が上腕側へずれ落ちるのもよく防止できる。
【００３０】
上記の実施例以外に、エンボス突起１３・１４は半球殻形状である必要はなく、円筒状や、四角錘状など任意のエンボス形状に形勢できる。背中側へ折り返した状態の身頃部分は、面ファスナーや粘着テープで肩部３や背面部２６に止め付けることができる。同様に左右の身頃２Ｒ・２Ｌは予め不織布１１に固定してある粘着材シートを介して、肌面に止着することができる。折返し線８は予めくせ付けしておくことができる。あるいは、予め、好ましい折返し線８に沿って切り込みを断続的に形成しておいて、身頃部分の折り返し形状を一定に揃えることができる。
【００３１】
検診用被服の外形形状は四角形状である必要はなく、円形や楕円形、あるいは蝶や木の葉を模した形状など、任意形状に形成することができる。第１切込み５は切断線４に対して直交し、両者４・５がＴ字状に交差するように形成できる。装着穴１の穴形状は楕円である必要はなく、円形や菱形など必要に応じて自由に選定できる。また、第２切込み６・７は、装着穴１の周縁の２個所以上に形成してあればよい。不織布１１にラミネートされる樹脂フィルム１２は、ポリエチレン以外の汎用樹脂を素材とするフィルムを使用することができる。また、樹脂フィルム１２は不透明フィルムであってもよい。
【図面の簡単な説明】
【００３２】
【図１】検診用被服の使用状態を示す正面図である。
【図２】検診用被服の展開図である。
【図３】エンボス構造を示す断面図である。
【図４】エンボス構造を示す斜視図である。
【図５】検診用被服の製造手順を示す説明図である。
【図６】被服積層体の斜視図である。
【図７】被服積層体の断面図である。
【図８】検診用被服の別の実施例を示す展開図である。
【図９】検診用被服のさらに別の実施例を示す展開図である。
【図１０】図９に係る検診用被服の使用状態を示す正面図である。
【符号の説明】
【００３３】
１  装着穴
２  前面部
３  肩部
４  切断線
５  第１切込み
６  第２切込み
７  第２切込み
１１  不織布
１２  樹脂フィルム
【図１】
2010031429.tif 000003
【図２】
2010031429.tif 000004
【図３】
2010031429.tif 000005
【図４】
2010031429.tif 000006
【図５】
2010031429.tif 000007
【図６】
2010031429.tif 000008
【図７】
2010031429.tif 000009
【図８】
2010031429.tif 000010
【図９】
2010031429.tif 000011
【図１０】
2010031429.tif 000012